(57)【要約】【課題】呼び出し信号の入力を確実に検出できる呼び出し信号検出装置を提供する。【解決手段】パルス検出部２２ａによってＣＩパルスが検出された時点から、ＣＩ信号のオン期間よりも短く設定された所定期間が経過した後で、パルス検出部２２ａによって再度ＣＩパルスが検出された場合に、ＣＩ信号が入力されたと判定する。【選択図】図１
2008236060.tif 000002
【特許請求の範囲】
【請求項１】
所定の入力部を介して入力され、オン期間とオフ期間とが繰り返される呼び出し信号を検出する呼び出し信号検出装置であって、
入力されるパルスの周期を測定することにより、そのパルスが呼び出し信号に対応した所定周波数の呼び出しパルスであるか否かを判定するパルス検出部と、
前記パルス検出部によって呼び出しパルスが検出された時点から、前記オン期間よりも短く設定された所定期間が経過した後で、前記パルス検出部によって再度呼び出しパルスが検出された場合に、呼び出し信号が入力されたと判定する呼び出し信号判定部と、を備えることを特徴とする呼び出し信号検出装置。
【発明の詳細な説明】
【技術分野】
【０００１】
本発明は、呼び出し信号検出装置に関する。
【背景技術】
【０００２】
ファクシミリ等では、トランスやリレーを含んだ網制御回路（ＮＣＵ（Network Control Unit））が電話回線とのインターフェースとして用いられてきた。その場合、呼び出し信号（ＣＩ：１６Ｈｚ）の検出には、ホトカプラを用い、回線上の呼び出し信号に対応した所定周波数のパルス入力が所定期間継続したとき、呼び出し信号の入力があったと判定している（特許文献１、２）。
【０００３】
一方、近年では、ＤＡＡ（データアクセスアレンジメント）がファクシミリにも使用されるようになっている（特許文献３）。また、電話回線も内線交換機やＡＤＳＬ等の影響でノイズの乗りやすい状況となっている。
【０００４】
このような状況において、上述のように所定周波数のパルス入力が所定期間継続した場合に呼び出し信号の入力があったと判定する構成では、最初にパルス入力が検出されてから所定期間が経過するまでにノイズ等の影響により、一度でもパルスの検出がとぎれると、仮に呼び出し信号が継続して入力されていても、呼び出し信号の入力無しとして誤判定されてしまうこととなる。
【特許文献１】特許第３７１９４３４号
【特許文献２】特開２００２−１４２２３７号公報
【特許文献３】特開２００３−２０９６４０号公報
【発明の開示】
【発明が解決しようとする課題】
【０００５】
そこで、本発明の解決すべき課題は、呼び出し信号の入力を確実に検出できる呼び出し信号検出装置を提供することである。
【課題を解決するための手段】
【０００６】
上記の課題を解決するため、請求項１の発明では、所定の入力部を介して入力され、オン期間とオフ期間とが繰り返される呼び出し信号を検出する呼び出し信号検出装置であって、入力されるパルスの周期を測定することにより、そのパルスが呼び出し信号に対応した所定周波数の呼び出しパルスであるか否かを判定するパルス検出部と、前記パルス検出部によって呼び出しパルスが検出された時点から、前記オン期間よりも短く設定された所定期間が経過した後で、前記パルス検出部によって再度呼び出しパルスが検出された場合に、呼び出し信号が入力されたと判定する呼び出し信号判定部と、を備える。
【発明の効果】
【０００７】
請求項１に記載の発明によれば、パルス検出部によって呼び出しパルスが検出された時点から、呼び出し信号のオン期間よりも短く設定された所定期間が経過した後で、パルス検出部によって再度呼び出しパルスが検出された場合に、呼び出し信号が入力されたと判定するようになっている。それ故、最初の呼び出しパルスが検出された時点から前記所定期間が経過するまでの間に、ノイズ等の影響により呼び出しパルスが検出できない期間が含まれていても、前記所定期間が経過した後まで呼び出しパルスが実際に継続して入力されていれば、確実に呼び出し信号を検出することができる。
【発明を実施するための最良の形態】
【０００８】
図１は、本発明の一実施形態に係る呼び出し信号（以下、「ＣＩ信号」という）検出装置のブロック図である。このＣＩ信号検出装置１は、図１に示すように、ＮＣＵ２と、メインユニット３とを備えて構成され、ファクシミリ、留守番電話機、電話回線を介して制御対象装置を遠隔制御するテレコントロール装置等のＣＩ信号の検出に用いられる。
【０００９】
ＮＣＵ２には、ＣＩ信号、通話信号等が伝送される信号ライン１１ａ，１１ｂからＣＩ信号等を取り出すためのコンパレータ１２が備えられている。コンパレータ１２によって取り出された信号（ＣＩ信号）は、メインユニット３に与えられる。
【００１０】
メインユニット３には、ＣＭＯＳシュミット回路（以下、単に「シュミット回路」という）２１と、マイコン等を備えて構成された処理部２２とが備えられている。ＮＣＵユニット２によって取り出されたＣＩ信号は、シュミット回路２１に通され、フィルタリング及び波形整形等が施されて処理部２２のＣＩ信号入力ポートに入力される。
【００１１】
ここで、処理部２２に入力されるＣＩ信号には、図２（ａ）に示すように、交互に連なるオン期間Ｌａとオフ期間Ｌｂ期間とがあり、各オン期間Ｌａでは、図２（ｂ）に拡大して示すように、一定周期で連なる複数のＣＩパルスＰｃが入力されるようになっている。より詳細には、日本国内の規格では、オン期間Ｌａは１秒に設定され、オフ期間Ｌｂは２秒に設定され、ＣＩ信号（ＣＩパルスＰｃ）の周波数は１６Ｈｚに設定される。
【００１２】
図３（ａ）に示すようなノイズ等の影響を受けていない正常なＣＩ信号が入力された場合には、処理部２２の入力波形として、図３（ｂ）に示すような１６Ｈｚの一定周期で連続的に連なるパルス波形が得られる。しかし、内線交換機やＡＤＳＬ等の影響で、図４（ａ）又は図５（ａ）に示すようにＣＩ信号にノイズが乗った場合には、処理部２２に入力される信号波形にも、図４（ｂ）又は図５（ｂ）に示すような乱れが生じる。
【００１３】
そこで、本実施形態では、図４（ｂ）又は図５（ｂ）等のように、ノイズ等の影響によりＣＩ信号の入力波形に乱れが生じている場合であっても、ＣＩ信号の入力を確実に検出できるＣＩ信号検出装置１を提供することを主眼としている。
【００１４】
本実施形態では、処理部２２に、機能要素としてパルス検出部２２ａ及びＣＩ信号判定部２２ｂを備えることにより、ＣＩ信号の確実な検出を行うようになっている。
【００１５】
図２に示すように、パルス検出部２２ａは、入力されるパルスの周期Ｔａを測定することにより、そのパルスがＣＩ信号に対応した所定周波数のＣＩパルスＰｃであるか否かを判定する。また、ＣＩ信号判定部２２ｂは、パルス検出部２２ａによってＣＩパルスＰｃが検出された時点ｔ０から、オン期間Ｌａよりも短く設定された所定期間Ｌｃ（例えば、３００ｍｓ）が経過した後で、パルス検出部２２ａによって再度ＣＩパルスＰｃが検出された場合に、ＣＩ信号が入力されたと判定し、ＣＩ信号の検出を示すＣＩ信号検出信号を出力する。
【００１６】
次に、図６を参照して、パルス検出部２２ａ及びＣＩ信号判定部２２ｂによるＣＩ信号の検出動作について説明する。パルス検出部２２ａは、入力されるパルスの周期を常時測定することにより、ＣＩパルスＰｃの入力の有無を監視している。図６のステップＳ１で、パルス検出部２２ａによりＣＩパルスＰｃ（例えば、ＣＩ信号の最初のオン期間Ｌａの先頭ＣＩパルスＰｃ）が検出されると、ステップＳ２で、ＣＩ信号判定部２２ｂにより、タイマーカウンタによる計時が開始され、所定期間Ｌｃの計時処理が行われる（計時終了後はタイマーカウンタがリセットされる）。
【００１７】
所定期間Ｌｃの計時が終了すると、ステップＳ３に進み、ＣＩ信号判定部２２ｂによりパルス検出部２２ａのパルス検出状態が確認され、その時点でＣＩパルスＰｃの入力が再検出された場合には、ステップＳ４でＣＩ信号判定部２２ｂによりＣＩ信号検出信号が出力され、ステップＳ１に戻る一方、ＣＩパルスＰｃの入力が再検出されない場合には、ＣＩ信号の入力無しと判断されて、ステップＳ１に戻る。
【００１８】
以上のように、本実施形態によれば、パルス検出部２２ａによってＣＩパルスＰｃが検出された時点（ｔ０）から、ＣＩ信号のオン期間Ｌａよりも短く設定された所定期間Ｌｃが経過した後で、パルス検出部２２ａによって再度ＣＩパルスＰｃが検出された場合に、ＣＩ信号が入力されたと判定するようになっている。それ故、最初のＣＩパルスＰｃが検出された時点（ｔ０）から所定期間Ｌｃが経過するまでの間に、ノイズ等の影響によりＣＩパルスＰｃが検出できない期間が含まれていても、所定期間Ｌｃが経過した後までＣＩパルスＰｃが実際に継続して入力されていれば、確実にＣＩ信号を検出することができる。
【図面の簡単な説明】
【００１９】
【図１】本発明の一実施形態に係る呼び出し信号検出装置のブロック図である。
【図２】波形整形された呼び出し信号を示す図である。
【図３】正常な呼び出し信号とその波形整形後の信号を示す図である。
【図４】ノイズ等の影響を受けた呼び出し信号とその波形整形後の信号の一例を示す図である。
【図５】ノイズ等の影響を受けた呼び出し信号とその波形整形後の信号の他の例を示す図である。
【図６】図１の呼び出し信号検出装置による呼び出し信号の検出動作を示すフローチャートである。
【符号の説明】
【００２０】
１  呼び出し信号検出装置
２  ＮＣＵ
３  メインユニット
２２  処理部
２２ａ  パルス検出部
２２ｂ  ＣＩ信号判定部
Ｌａ  オン期間
Ｌｂ  オフ期間
Ｌｃ  所定期間
Ｐｃ  ＣＩパルス
Ｔａ  周期
【図１】
2008236060.tif 000003
【図２】
2008236060.tif 000004
【図３】
2008236060.tif 000005
【図４】
2008236060.tif 000006
【図５】
2008236060.tif 000007
【図６】
2008236060.tif 000008